(57)【要約】【課題】  立体音響の技術を用いて運転者の視線を注視点に誘導するにあたり、注視点に関する情報が不適切なものとなることで発生する不具合を抑制可能な音像定位装置を提供する。【解決手段】  ナビゲーション装置３の制御部３０の有する判定手段３０ａが、音像定位処理の実行中、指令値に基づく指令値関連情報が異常であるか否かを判定し、判定手段３０ａにて指令値関連情報が異常であると判定された場合、停止手段３０ｂによって、音像定位処理の実行が停止される。つまり、注視点を示す指令値が不適切なものとなる要因は様々であるため、指令値を算出した後、当該指令値に基づく指令値関連情報から、注視点に関する情報が不適切であるか否かを判定するのである。そして、指令値関連情報が異常である場合は、音像定位処理の実行を停止する。【選択図】  図１
2014127931.tif 000002
【特許請求の範囲】
【請求項１】
音像を生成するオーディオシステム（５２）及び、前記オーディオシステムに対し前記音像を定位させるための伝達関数を設定する立体音響システム（５１）と共に用いられ、
車両の速度及びヨーレートを算出し、走行中に運転者が注視する傾向にある注視点を示す指令値を算出し、当該指令値を前記立体音響システムへ出力することにより、前記オーディオシステムを介して前記音像を前記注視点に定位させる音像定位処理を実行可能な音像定位装置（３）であって、
前記音像定位処理の実行中、前記指令値に基づく指令値関連情報が異常であるか否かを判定する判定手段（３０ａ）と、
前記判定手段にて前記指令値関連情報が異常であると判定された場合、前記音像定位処理の実行を停止する停止手段（３０ｂ）と、
を備えていることを特徴とする音像定位装置。
【請求項２】
請求項１に記載の音像定位装置において、
前記音像定位処理では、前記車両の未来における速度及びヨーレートを推定し、当該未来における前記注視点である予測注視点を示す指令値を算出すること（Ｓ１４０，Ｓ１５０）
を特徴とする音像定位装置。
【請求項３】
請求項２に記載の音像定位装置において、
前記指令値関連情報は、前記指令値そのものであり、
前記判定手段は、前記指令値の示す前記予測注視点の算出精度に基づき、異常であるか否かを判定すること（Ｓ５００〜Ｓ５５０）
を特徴とする音像定位装置。
【請求項４】
請求項１〜３の何れか一項に記載の音像定位装置において、
前記指令値関連情報は、前記指令値そのものであり、
前記判定手段は、繰り返し算出される前記指令値の変化に基づき、異常であるか否かを判定すること（Ｓ２００〜Ｓ２２０）
を特徴とする音像定位装置。
【請求項５】
請求項１〜４の何れか一項に記載の音像定位装置において、
前記指令値関連情報は、前記指令値に基づく前記オーディオシステムのスピーカに対する出力信号であり、
前記判定手段は、前記出力信号の音圧レベルの変化に基づき、異常であるか否かを判定すること（Ｓ３００，Ｓ３１０，Ｓ３４０，Ｓ３５０）
を特徴とする音像定位装置。
【請求項６】
請求項５に記載の音像定位装置において、
前記判定手段は、単一のスピーカにおける前記音圧レベルの変化に基づき、異常であるか否かを判定すること（Ｓ３１０，Ｓ３２０）
を特徴とする音像定位装置。
【請求項７】
請求項５又は６に記載の音像定位装置において、
前記判定手段は、複数のスピーカにおける前記音圧レベルの位相のズレに基づき、異常であるか否かを判定すること（Ｓ３４０，Ｓ３５０）
を特徴とする音像定位装置。
【請求項８】
請求項１〜７の何れか一項に記載の音像定位装置において、
前記指令値関連情報は、前記指令値の算出タイミングであり、
前記判定手段は、前記指令値の算出タイミングに基づき、異常であるか否かを判定すること（Ｓ４００〜Ｓ４２０）
を特徴とする音像定位装置。
【請求項９】
請求項１〜８の何れか一項に記載の音像定位装置において、
前記オーディオシステムは、通常時において、設定されたオーディオ環境で音像を生成することが可能であり、
前記停止手段は、前記音像定位処理の実行を停止すると共に、前記オーディオ環境を前記オーディオシステムに出力すること（Ｓ２３０，Ｓ３２０，Ｓ３６０，Ｓ４３０，Ｓ５６０）
を特徴とする音像定位装置。
【請求項１０】
請求項１〜９の何れか一項に記載の音像定位装置において、
さらに、前記音像定位処理の実行の停止を運転者に報知する報知手段（３０ｃ）を備えていること（Ｓ２４０，Ｓ３３０，Ｓ３７０，Ｓ４４０，Ｓ５７０）
を特徴とする音像定位装置。
【請求項１１】
請求項１〜１０の何れか一項に記載の音像定位装置の各手段としてコンピュータを機能させるプログラム。
【発明の詳細な説明】
【技術分野】
【０００１】
本発明は、車両走行中において適切な運転操作を実現するために運転者の視線を誘導するよう音像を定位させる音像定位装置に関する。
【背景技術】
【０００２】
車両の走行に関し、その安全を図る技術が種々提案されている。例えば、走行中に車両が車線を逸脱しそうになった場合に車線の逸脱を防止する車線逸脱防止装置が提案されている（例えば、特許文献１参照）。
【０００３】
この装置では、車線逸脱量を予測値として算出し、当該算出した予測値に基づいて自車両が車線逸脱傾向にあるかどうかを検出する。そして、自車両が車線逸脱傾向にある場合には、警報を発したり、車線からの逸脱を回避するように車両を制御したりする。
【先行技術文献】
【特許文献】
【０００４】
【特許文献１】特許第３９４５４８８号公報
【発明の概要】
【発明が解決しようとする課題】
【０００５】
ところで、特許文献１に記載された技術は、車線逸脱傾向にあるかどうかを検出するものであり、車線逸脱傾向が生じた後に、警告を発したり、車両の制御を行ったりする。つまり、車両の挙動が危険な状態となることを予測して、それに対する措置を講じるものである。
【０００６】
ところが、さらなる安全運転を考えた場合、そもそも車両の挙動が危険な状態とならないようにする工夫が重要となってくる。
そこで出願人は、運転中に運転者の視線を誘導するための装置を提案した。走行中における運転者の視線は、その視覚運動量が最小となる点の周辺に注がれることが分かっている。
【０００７】
したがって、例えばＮ秒（例えば５秒）後に運転者が視線を向けるであろう点（以下「予測注視点」という）を予測し、立体音響の技術を用いて、この予測注視点に音像を定位させる。「音像」とは空間的位置などを感覚的にとらえた聴感上の音源であり、「音像を定位させる」とは、音源の聴感上の空間的位置などを一定にすることをいう。そのため、予測注視点に音像を定位させた場合、予測注視点（の方向、距離）に音源があるかのように聞こえる。なお、「定位」には、「位置を一定にする」という意味の他、そのように定めた「位置」の意味も含まれるが、本明細書では、混乱を避けるため、前者を「定位」と記載し、後者をあえて「定位位置」と記載する。このように予測注視点に音像を定位させることで、運転者の視線を予測注視点に誘導することができ、車両の挙動を安定させることができる。
【０００８】
しかしながら、このような視線誘導の技術も、次の点では改良の余地がある。それは予測される予測注視点が不連続になった場合など、算出される予測注視点の異常を検知していない点である。例えば、ナビゲーション装置の機能を用いて予測注視点を予測する場合、マップマッチングがうまく機能しないことにより、車両の現時点位置が急激に変化すると、予測される予測注視点が不連続になる「ばたつき」が生じることが考えられる。予測注視点の「ばたつき」は、結果的に、音酔いや車酔いが誘発する虞がある。
【０００９】
なお、ここでは、マップマッチングに起因する予測注視点の「ばたつき」について説明したが、何らかの要因により注視点に基づく情報が不適切なものになると、同様の不具合が生じることが懸念される。
【００１０】
本発明は、上述した課題を解決するためになされたものであり、その目的は、立体音響の技術を用いて運転者の視線を注視点に誘導するにあたり、注視点に関する情報が不適切なものとなることで発生する不具合を抑制可能な音像定位装置を提供することにある。
【課題を解決するための手段】
【００１１】
上記目的を達成するためになされた音像定位装置（３）は、音像を生成するオーディオシステム（５２）及び、オーディオシステムに対し音像を定位させるための伝達関数を設定する立体音響システム（５１）と共に用いられる。
【００１２】
ここで音像定位装置は、例えばナビゲーション装置として具現化される。このとき、オーディオシステム及び立体音響システムは、通常、ナビゲーション装置の外部に設けられる。ただし、ナビゲーション装置、オーディオシステム、及び、立体音響システムを備えたナビゲーションシステムの発明として実現してもよい。
【００１３】
音像定位装置では、音像定位処理が実行される。この音像定位処理は、車両の速度及びヨーレートを算出し、走行中に運転者が注視する傾向にある注視点を示す指令値を算出し、当該指令値を立体音響システムへ出力することにより、オーディオシステムを介して音像を注視点に定位させるものである。なお、注視点は、言い換えれば、走行中に運転者が注視する事が推奨される点である。
【００１４】
ここで特に本発明では、判定手段（３０ａ）が、音像定位処理の実行中、指令値に基づく指令値関連情報が異常であるか否かを判定する。そして、判定手段にて指令値関連情報が異常であると判定された場合、停止手段（３０ｂ）によって、音像定位処理の実行が停止される。
【００１５】
なお、指令値関連情報は、指令値そのものであることが考えられる。また、指令値に基づくオーディオシステムへの出力信号であることが考えられる。さらにまた、指令値の算出タイミングであることが考えられる。
【００１６】
つまり、注視点を示す指令値が不適切なものとなる要因は様々であるため、指令値を算出した後、当該指令値に基づく指令値関連情報から、注視点に関する情報が不適切であるか否かを判定するのである。そして、指令値関連情報が異常である場合は、音像定位処理の実行を停止する。このようにすれば、立体音響の技術を用いて運転者の視線を注視点に誘導するにあたり、注視点に関する情報が不適切なものとなることで発生する不具合を抑制することができる。
【図面の簡単な説明】
【００１７】
【図１】ナビゲーションシステムの概略構成を示すブロック図である。
【図２】音像定位処理を示すフローチャートである。
【図３】指令値判定処理を示すフローチャートである。
【図４】出力信号判定処理を示すフローチャートである。
【図５】（ａ）は単一スピーカの音圧レベルが不連続となった場合を示す説明図であり、（ｂ）は複数スピーカの音圧レベルの位相のズレを示す説明図である。
【図６】算出タイミング判定処理を示すフローチャートである。
【図７】予測注視点判定処理を示すフローチャートである。
【図８】過去に予測した予測注視点と現時点の注視点とのズレを示す説明図である。
【図９】道路上に仮想的に設定する格子点Ｌを示す説明図である。
【図１０】網膜球面モデルを示す説明図である。
【図１１】視線誘導モードがオンの場合とオフの場合とで、同一ドライバが同一コースを走行する際の視線の方向を示す説明図である。
【図１２】視線誘導モードがオンの場合の車両の左右前後方向における加速度の変化を示す説明図である。
【図１３】視線誘導モードがオフの場合の車両の左右前後方向における加速度の変化を示す説明図である。
【発明を実施するための形態】
【００１８】
以下、本発明の実施形態を図面に基づいて説明する。
図１に示すナビゲーションシステム１は、車両に搭載され、ナビゲーション装置３と、ナビゲーション装置３にて制御されるサブシステム５とを備えている。
【００１９】
ナビゲーション装置３は、制御部３０を中心に構成されている。制御部３０は、いわゆるコンピュータシステムとして構成され、ＣＰＵ、ＲＯＭ、ＲＡＭ、Ｉ／Ｏ及びこれらを接続するバスラインを有している。
【００２０】
制御部３０には、カメラ３１、地磁気センサ３２、ジャイロスコープ３３、距離センサ３４、ＧＰＳ受信機３５、地図データ入力部３６、操作スイッチ群３７、通信部４１、外部メモリ４２、及び、表示部４３が接続されている。
【００２１】
カメラ３１は、車両の前方を撮影するための構成である。カメラ３１は、単眼カメラなどとして具現化される。車両前方の所定範囲を撮影することにより、歩行者などの障害物などを検出することが可能となる。
【００２２】
地磁気センサ３２は、地磁気によって車両の方位を検出する構成である。また、ジャイロスコープ３３は、車両に加えられる回転運動の角速度に応じた検出信号を出力する。さらにまた、距離センサ３４は、車両の走行距離を出力する。また、ＧＰＳ受信機３５は、ＧＰＳ（Global Positioning System ）用の人工衛星からの送信信号を受信し、車両の位置座標や高度を検出する。かかる構成により、制御部３０は、車両の位置、方位などを算出可能となっている。なお、ＧＰＳ受信機３５からの出力信号に基づいて位置を求める方式は、単独測位方式、相対測位方式の何れであってもよい。
【００２３】
また、地図データ入力部３６は、制御部３０へ地図データを入力するための構成である。地図データは、ＤＶＤ−ＲＯＭ３６ａに記憶されており、地図データ入力部３６を介して制御部３０へ入力される。もちろん、ＤＶＤ−ＲＯＭ３６ａ以外に、ＨＤＤやＣＤ−ＲＯＭなどを用いてもよい。地図データには、道路データ、描画データ、マップマッチング用データ、経路案内用データなどが含まれる。
【００２４】
操作スイッチ群３７は、ユーザからの各種指示を入力するための構成であり、物理的な押しボタンスイッチなどとして具現化される。あるいは、表示部４３と一体に構成されたタッチパネルとして具現化してもよい。
【００２５】
通信部４１は、自車両周辺の他車両との間で、車車間通信を行うための構成である。これにより、例えば他車両からの要求があれば、制御部３０は、自車両の位置情報（自車位置や高度）を他車両へ送信することが可能である。
【００２６】
外部メモリ４２は、一時的な記憶を可能とするメモリである。例えば電源オフ時にも記
憶内容が消失しないようにフラッシュメモリなどによって構成することが考えられる。また、ＨＤＤなどによって構成してもよい。
【００２７】
表示部４３は、例えば液晶ディスプレイなどで構成される。この表示部４３には、地図データ入力部３６を介して入力される地図データに基づく地図及び当該地図上の自車位置が表示される。目的地までのルートが探索された場合には、当該ルートを表示することも可能である。
【００２８】
サブシステム５は、立体音響システム５１及びオーディオシステム５２を有している。
立体音響システム５１は、音像を定位させるために、オーディオシステム５２に対し、伝達関数の設定を指示する。具体的には、後述するように、制御部３０から出力される指令値に基づいて、伝達関数の設定を指示する。伝達関数は、周知の音像定位技術に用いられるものであり、詳しくは、仮想音源から聴取者の鼓膜までの音の伝達特性を表す頭部伝達関数（ＨＲＴＦ：Head-Related Transfer Function）である。
【００２９】
オーディオシステム５２は、音源５３、フィルタ５４Ｌ，５４Ｒ、及び、スピーカ５５Ｌ，５５Ｒを有している。
音源５３は、ＣＤ音源やラジオ音源として具現化される。なお、ユーザによる録音を音源としてもよいし、警報音などを音源として利用してもよい。これら音源５３は、ナビゲーション装置３の操作スイッチ群３７を介して切り換えることが可能である。
【００３０】
スピーカ５５Ｌ，５５Ｒは、その一方がユーザの左側からの音出力を行うための左側スピーカ５５Ｌとなっており、他方がユーザの右側からの音出力を行うための右側スピーカ５５Ｒとなっている。
【００３１】
左側スピーカ５５Ｌに対応するのが左側フィルタ５４Ｌであり、右側スピーカ５５Ｒに対応するのが右側フィルタ５４Ｒである。上述したように音像を定位させる場合には、左側フィルタ５４Ｌ及び右側フィルタ５４Ｒが、伝達関数に基づくフィルタリングを行う。このようにしてフィルタリングされた音源５３からの信号が、それぞれ左側スピーカ５５Ｌ、右側スピーカ５５Ｒへ出力される。
【００３２】
なお、左側スピーカ５５Ｌ及び右側スピーカ５５Ｒとしたのは２チャンネルであることを示しており、左側スピーカ５５Ｌ及び右側スピーカ５５Ｒがそれぞれ複数のスピーカによって構成されていてもよい。また、後述する視線誘導を行わない通常時にあっては、ユーザによって設定されたオーディオ環境に基づいて音源５３からの信号出力が行われる。このときオーディオシステム５２は、フィルタ５４Ｌ，５４Ｒを介さず信号出力を行う。
【００３３】
オーディオ環境とは、出力信号の周波数特性を変更するイコライザの設定であることが考えられる。また、左右のバランスの設定であることが考えられる。前後方向にスピーカが配置されている場合には、前後のバランスの設定も含まれる。オーディオ環境の設定は、操作スイッチ群３７を介して行われ、ナビゲーション装置３の外部メモリ４２に記憶される。なお、ユーザによる設定がなされていない場合、デフォルトのオーディオ環境が外部メモリ４２に記憶されているものとする。
【００３４】
また、制御部３０には、車内ＬＡＮなどのネットワークを介して車両内のＥＣＵ群６０が接続されている。制御部３０は、ＥＣＵ群６０を構成する複数のＥＣＵと通信を行うことにより、例えば車輪速度センサにて取得される車速を取得することが可能となる。
【００３５】
次に、図２のフローチャートに基づき、音像定位処理を説明する。音像定位処理は、視線誘導モードがオンとなっているときに、制御部３０により、所定時間間隔（例えば３０
０ｍｓ）で繰り返し実行される。
【００３６】
最初のＳ１００では、自車両の速度を取得する。この処理は、ＥＣＵ群６０を介して自車両の現時点の速度を取得するものである。
続くＳ１１０では、自車両の位置を取得する。この処理は、地磁気センサ３２及びＧＰＳ受信機３５などを用い自車両の位置及び方位を算出し、さらに、地図データ入力部３６を介して入力される地図データ中の道路データ及びマップマッチングデータを用い、地図上での自車両の位置を取得するものである。
【００３７】
次のＳ１２０では、道路形状を取得する。この処理は、Ｓ１１０にて取得される自車両の位置に基づき、自車両が走行している道路形状を取得するものである。後述するようにＮ秒後の自車両の位置を推定するため、走行方向を考慮して所定範囲（例えば５００ｍ先まで）の道路形状を取得する。
【００３８】
続くＳ１３０では、Ｎ秒後の自車両の位置における道路の曲率を取得する。この処理は、Ｓ１００にて取得した自車両の速度でＮ秒間走行した場合の自車両の推定位置における道路の曲率を取得するものである。
【００３９】
次のＳ１４０では、Ｎ秒後における自車両の速度及びヨーレートを推定する。ヨーレートとは、自車両の旋回方向への回転角の変化速度である。ここでは、Ｓ１００にて取得した自車両の速度をＮ秒後の自車両の速度とし、また、Ｓ１３０にて取得した道路の曲率に基づき自車両のヨーレートを推定する。
【００４０】
続くＳ１５０では、指令値を算出する。この処理は、Ｎ秒後の自車両の位置における予測注視点を示す指令値を算出するものである。予測注視点は、特許第４７３５６７６号公報に記載されている方法で算出可能である。この指令値は、例えば予測注視点までの距離Ｒ、自車両からの水平方向の角度である方位角θ、及び、自車両からの垂直方向の角度である仰角φとして算出される。
【００４１】
次のＳ１６０では、指令値に基づく音像定位の目標となる定位位置を出力する。この処理は、Ｓ１５０にて算出された指令値に基づき、三次元直交座標系での音像の定位位置を算出し、当該定位位置を立体音響システム５１へ出力するものである。これにより、立体音響システム５１は、フィルタ５４Ｌ，５４Ｒで用いる伝達関数の設定をオーディオシステム５２へ指示する。例えばオーディオシステム５２は、立体音響システム５１からの指示に対応する複数の伝達関数を予め保持しており、選択的に伝達関数を設定するという具合である。これにより、スピーカ５５Ｌ，５５Ｒにより形成される音像は、指令値に対応する定位位置に定位する。
【００４２】
このような音像定位処理により、視線誘導モードをオンとなっている場合、Ｎ秒後の自車位置における注視点である予測注視点に音像が定位することになる。
図１１に示すように、正面方向を０度とする運転者の視線の方向（角度）を縦軸とし測定時間を横軸とすると、視線誘導モードをオンにした場合の運転者の視線の動きは、曲線Ａ（太実線で示した曲線）に示すごとくとなった。一方、視線誘導モードをオフにした場合の運転者の視線の動きは、曲線Ｂ（細実線で示した曲線）に示すごとくとなった。このとき、曲線Ｘ（破線で示した曲線）が予測注視点の方向の変化を示している。
【００４３】
図１１から分かるように、視線誘導モードをオンにした場合、オフにした場合に比べて、運転者の視線の方向は、その変化幅が大きくなっており、予測注視点の方向の変化と類似する傾向にある。これにより、視線誘導モードをオンにした場合は、運転者の視線が予測注視点の方向へ誘導され、道路におけるコーナーの奥へ視線を運んでいることが分かる
。
【００４４】
図１２及び図１３は、視線誘導モードをオンにしている場合とオフにしている場合とで、車両の前後方向及び左右方向の加速度をそれぞれ縦軸と横軸とにプロットしたものである。ここで、視線誘導モードをオフにしているときを示す図１３では加速度の大きさや方向が急激に変化しているのに対し、視線誘導モードをオンにしているときを示す図１２では、加速の大きさや方向の変化が連続的で滑らかなものとなった。これにより、視線誘導モードをオンにした場合は、運転者の視線が予測注視点の方向へ誘導される結果、車両の挙動を滑らかにするような運転操作が実現されることが分かる。
【００４５】
しかしながら、このような視線誘導モードにおいて、何らかの要因により予測注視点に関する情報が不適切なものになると、音酔いや車酔いといった不具合が生じる虞がある。
そこで、本実施形態では、以下に示す指令値判定処理、出力信号判定処理、算出タイミング判定処理、及び、予測注視点判定処理を実行する。以下、これらの処理について説明する。
【００４６】
図３のフローチャートに示す指令値判定処理は、図２中のＳ１５０にて算出される指令値が正常であるか否かを判定し、指令値が異常である場合には、視線誘導モードをオフにする処理である。指令値判定処理は、音像定位処理に続けて、制御部３０によって実行される。
【００４７】
最初のＳ２００では、指令値を記憶する。この処理は、図２中のＳ１５０にて算出される指令値を外部メモリ４２に記憶するものである。
続くＳ２１０では、指令値を所定期間にわたって読み出す。算出された指令値はＳ２００にて外部メモリ４２に記憶されているため、ここでは外部メモリ４２から所定期間に算出された指令値を読み出す。所定期間は例えば１０秒という具合に設定することが考えられる。
【００４８】
次のＳ２２０では、指令値が不連続であるか否かを判断する。この判断は、時間的に前後して算出された指令値を比較し、その変化が大きいか否かを判断するものである。指令値の変化は道路の曲率などが変わることで生じるが、通常、ある変化幅に収まる。そこで、このような変化幅に対応する閾値を設定しておき、当該閾値以上の変化幅であるか否かを判断する。なお、閾値以上の変化幅が例えば１０秒という期間に１回でも検出された場合に肯定判断するようにしてもよいし、閾値以上の変化幅が例えば１０秒という期間に予め定められた回数（例えば５回）検出された場合に肯定判断するようにしてもよい。ここで指令値が不連続であると判断された場合（Ｓ２２０：ＹＥＳ）、Ｓ２３０へ移行する。一方、指令値が不連続でないと判断された場合（Ｓ２２０：ＮＯ）、すなわち指令値が連続的に変化している場合には、以降の処理を実行せず、指令値判定処理を終了する。
【００４９】
Ｓ２３０では、視線誘導モードをオフにする。これにより、図２の音像定位処理の実行が停止される。ここでは、外部メモリ４２に記憶されているイコライザやバランスなどオーディオ環境のユーザ設定をオーディオシステム５２へ出力する。これにより、オーディオシステム５２は、出力信号をフィルタ５４Ｌ，５４Ｒを介さずユーザ設定に基づいてスピーカ５５Ｌ，５５Ｒへ出力するようになる。
【００５０】
続くＳ２４０では、設定の変更を通知し、その後、指令値判定処理を終了する。設定の変更の通知とは、例えば表示部４３に「誘導モードをオフにし、通常のオーディオ出力に変更しました」などの通知を行うものである。
【００５１】
図４のフローチャートに示す出力信号判定処理は、オーディオシステム５２にてフィル
タ５４Ｌ，５４Ｒからスピーカ５５Ｌ，５５Ｒへの出力信号が正常であるか否かを判定し、出力信号が異常である場合には、視線誘導モードをオフにする処理である。出力信号判定処理は、所定時間間隔で制御部３０によって繰り返し実行される。
【００５２】
最初のＳ３００では、単一スピーカへの出力信号を取得する。この処理は、左側スピーカ５５Ｌへの出力信号、及び、右側スピーカ５５Ｒへの出力信号をそれぞれ別個に取得するものである。ここでは、所定期間の出力信号を連続的に取得するものとする。
【００５３】
続くＳ３１０では、音圧レベルが不連続であるか否かを判断する。この処理は、Ｓ３００にて取得した所定期間の出力信号の音圧レベルが不連続であるか否かを判断するものである。例えば図５（ａ）に示すように、所定期間Ｔにおける音圧レベルに不連続な変化があったときに肯定判断するという具合である。もちろん、不連続な変化が複数回（例えば５回など）検出された場合に肯定判断するようにしてもよい。ここで音圧レベルが不連続であると判断された場合（Ｓ３１０：ＹＥＳ）、Ｓ３２０へ移行する。一方、音圧レベルが不連続でないと判断された場合（Ｓ３１０：ＮＯ）、Ｓ３２０及びＳ３３０の処理を実行せず、Ｓ３４０へ移行する。
【００５４】
Ｓ３２０では、視線誘導モードをオフにする。また、外部メモリ４２に記憶されているイコライザやバランスなどのユーザ設定をオーディオシステム５２へ出力する。続くＳ３３０では、設定の変更を通知し、その後、Ｓ３４０へ移行する。
【００５５】
Ｓ３４０では、複数のスピーカ５５Ｌ，５５Ｒへの出力信号を比較する。この処理は、左側スピーカ５５Ｌへの出力信号と右側スピーカ５５Ｒへの出力信号とを比較するものである。ここでは、所定期間の出力信号を比較するものとする。
【００５６】
Ｓ３５０では、位相のズレが大きいか否かを判断する。この処理は、Ｓ３４０での比較結果に基づき、左側スピーカ５５Ｌへの出力信号と右側スピーカ５５Ｒへの出力信号との位相のズレが大きいか否かを判断するものである。出力信号の位相のズレは、通常、ある範囲に収まる。したがって、ここでは、その範囲を上回るようなズレがあった場合に肯定判断される。例えば図５（ｂ）に示すように、所定期間Ｔにおける音圧レベルの位相のズレＳを検出し、当該ズレＳが予め定められた閾値を上回るか否かを判断する。なお、範囲を上回るような位相のズレが一回でもあれば肯定判断するようにしてもよいし、予め定められた回数（例えば５回）のズレが検出された場合に肯定判断するようにしてもよい。ここで位相のズレが大きいと判断された場合（Ｓ３５０：ＹＥＳ）、Ｓ３６０へ移行する。一方、位相のズレが大きくないと判断された場合（Ｓ３５０：ＮＯ）、Ｓ３６０及びＳ３７０の処理を実行せず、出力信号判定処理を終了する。
【００５７】
Ｓ３６０では、視線誘導モードをオフにする。また、外部メモリ４２に記憶されているイコライザやバランスなどのユーザ設定をオーディオシステム５２へ出力する。続くＳ３７０では、設定の変更を通知して、その後、出力信号判定処理を終了する。
【００５８】
図６のフローチャートに示す算出タイミング判定処理は、Ｓ１５０にて算出される指令値の算出タイミングが正常であるか否かを判定し、当該算出タイミングが異常である場合には、視線誘導モードをオフにする処理である。算出タイミング判定処理は、音像定位処理に続けて、制御部３０によって実行される。
【００５９】
最初のＳ４００では、指令値の算出時刻を記憶する。この処理は、音像定位処理の実行タイミングを記憶するものである。具体的には、音像定位処理の実行後に行われる本処理の実行タイミングを外部メモリ４２に記憶することで足りる。
【００６０】
続くＳ４１０では、算出時刻を所定期間にわたって読み出す。この処理は、Ｓ４００にて外部メモリ４２に記憶された算出時刻を所定期間にわたって読み出すものである。所定期間は、判定に十分な時間として、例えば１０秒という具合に設定される。
【００６１】
一般的に、運転者の操作周波数は、５Ｈｚ以下とされている。例えば連続したアクセル操作を行う場合など、運転者が何らかの運転操作を行う場合、１秒間に５回くらいの操作が限界であることが知られている。そのため、音像の定位位置を変化させる指令値の算出についても５Ｈｚ以上になると、すなわち定位位置の変化が１秒間に５回以上になると、運転者が追従できず違和感を抱く結果となりかねない。これを踏まえて、上述したように音像定位処理は例えば３００ｍｓ（約３．３Ｈｚ）で繰り返されるのであるが、システムの異常などが生じた場合に５Ｈｚを上回る事態が生じる虞もある。
【００６２】
そこで、次のＳ４２０では、算出タイミングが異常であるか否かを判断する。この処理は、Ｓ４１０にて読み出された算出時刻が例えば５Ｈｚ以上となっているか否かを判断するものである。ここでは、所定期間（例えば１０秒）における算出時刻の間隔で２００ｍｓ以下のものが一回あるいは複数回（例えば５回）検出されたときに肯定判断することが考えられる。また、所定期間における算出時刻の間隔の平均値が２００ｍｓ以下となっていることを判断するようにしてもよい。ここで算出タイミングが異常であると判断された場合（Ｓ４２０：ＹＥＳ）、Ｓ４３０へ移行する。一方、算出タイミングが異常でないと判断された場合（Ｓ４２０：ＮＯ）、すなわち算出タイミングが正常である場合には、Ｓ４３０及びＳ４４０の処理を実行せず、算出タイミング判定処理を終了する。
【００６３】
Ｓ４３０では、視線誘導モードをオフにする。また、外部メモリ４２に記憶されているイコライザやバランスなどのユーザ設定をオーディオシステム５２へ出力する。続くＳ４４０では、設定の変更を通知して、その後、算出タイミング判定処理を終了する。
【００６４】
図７のフローチャートに示す予測注視点判定処理は、Ｓ１５０にて算出される指令値にて示される予測注視点の精度を判定し、当該予測注視点の算出精度が低い場合には、視線誘導モードをオフにする処理である。予測注視点判定処理は、音像定位処理に続けて、制御部３０によって実行される。
【００６５】
最初のＳ５００では、指令値を記憶する。この処理は、図２中のＳ１５０にて算出される指令値を外部メモリ４２に記憶するものである。したがって、図３中のＳ２００の処理が実行されている場合には、この処理を省略してもよい。
【００６６】
続くＳ５１０では、Ｎ秒前の指令値を読み出す。Ｓ５００にて外部メモリ４２に指令値が繰り返し記憶されるため、ここでは外部メモリ４２からＮ秒前の指令値を読み出す。
次のＳ５２０では、自車両の速度を取得する。この処理は、ＥＣＵ群６０を介して自車両の現時点の速度を取得するものである。
【００６７】
続くＳ５３０では、自車両の現時点のヨーレートを算出する。この処理は、自車両の現時点における位置の道路の曲率からヨーレートを算出するものである。
次のＳ５４０では、現時点の注視点を算出する。この処理は、Ｓ５２０にて取得した自車両の速度及びＳ５３０にて取得したヨーレートに基づいて、現時点の注視点を算出するものである。
【００６８】
続くＳ５５０では、注視点のズレが大きいか否かを判断する。例えば、図８に示すように、自車両１００は、音像定位処理においてＮ秒後の予測注視点を算出する（図２中のＳ１５０）。なお、図８に示す自車両の位置はＮ秒後の位置である。そして、実際にＮ秒間走行した後、Ｎ秒前の予測注視点（指令値）を読み出し（Ｓ５１０）、その時点の自車両
の速度及びヨーレートに基づいて現時点の注視点を算出する（Ｓ５２０〜Ｓ５４０）。そして、Ｎ秒前の予測注視点と現時点の注視点とのズレが大きいか否かを判断する。なお、判定には、予測注視点のズレによって視線誘導の効果が小さくなると予想される閾値を設定することが考えられる。ここで注視点のズレが大きいと判断された場合（Ｓ５５０：ＹＥＳ）、Ｓ５６０へ移行する。一方、注視点のズレが小さいと判断された場合（Ｓ５５０：ＮＯ）、Ｓ５６０及びＳ５７０の処理を実行せず、予測注視点判定処理を終了する。
【００６９】
Ｓ５６０では、視線誘導モードをオフにする。また、外部メモリ４２に記憶されているイコライザやバランスなどのユーザ設定をオーディオシステム５２へ出力する。続くＳ５７０では、設定の変更を通知して、その後、予測注視点判定処理を終了する。
【００７０】
以上詳述したように、本実施形態では、音像定位処理（図２参照）に並行し、指令値判定処理（図３参照）、出力信号判定処理（図４参照）、算出タイミング判定処理（図６参照）、及び、予測注視点判定処理（図７参照）を実行することで、予測注視点に関する指令値などが不適切であるか否かを判定し、不適切である場合には、視線誘導モードをオフにして、音像定位処理の実行を停止する。
【００７１】
すなわち、制御部３０の判定手段３０ａが、音像定位処理の実行中、指令値に基づく指令値関連情報が異常であるか否かを判定し、判定手段３０ａにて指令値関連情報が異常であると判定された場合、停止手段３０ｂによって、音像定位処理の実行が停止される。
【００７２】
つまり、注視点を示す指令値が不適切なものとなる要因は様々であるため、指令値を算出した後、当該指令値に基づく指令値関連情報から、注視点に関する情報が不適切であるか否かを判定するのである。そして、指令値関連情報が異常である場合は、音像定位処理の実行を停止する。
【００７３】
これにより、立体音響の技術を用いて運転者の視線を注視点に誘導するにあたり、注視点に関する情報が不適切なものとなることで発生する不具合を抑制することができる。
また、本実施形態では、自車両の速度を取得し（図２中のＳ１００）、地図上での自車両の位置を取得する（Ｓ１１０）。次に、走行方向を考慮して所定範囲の道路形状を取得し（Ｓ１２０）、Ｎ秒後の自車両の位置における道路の曲率を取得して（Ｓ１３０）、Ｎ秒後における自車両の速度及びヨーレートを推定し（Ｓ１４０）、Ｎ秒後の自車両の位置における予測注視点を示す指令値を算出する（Ｓ１５０）。すなわち、音像定位処理では、車両の未来における速度及びヨーレートを推定し、当該未来における注視点である予測注視点を示す指令値を算出する。これにより、近い将来に運転者が注視する予測注視点を示す指令値が算出されるため、この指令値に基づく音像の定位により、運転者の運転操作をより適切なものとすることができる。
【００７４】
さらにまた、本実施形態では、算出された指令値を記憶し（図３中のＳ２００）、記憶された指令値を所定期間にわたって読み出す（Ｓ２１０）。そして、指令値が不連続であるか否かを判断し（Ｓ２２０）、指令値が不連続である場合には（Ｓ２２０：ＹＥＳ）、視線誘導モードをオフにする（Ｓ２３０）。すなわち、指令値関連情報は、指令値そのものであり、判定手段３０ａは、繰り返し算出される指令値の変化に基づき、異常であるか否かを判定する。これにより、注視点に関する情報である指令値が不適切なものとなることで発生する不具合を抑制することができる。
【００７５】
また、本実施形態では、オーディオシステム５２のスピーカ５５Ｌ，５５Ｒへの出力信号を取得し（図４中のＳ３００，Ｓ３４０）、出力信号の音圧レベルの変化を判断する（Ｓ３１０，Ｓ３５０）。そして、音圧レベルの変化が不適切なものであると判断すると（Ｓ３１０：ＹＥＳ，Ｓ３５０：ＹＥＳ）、視線誘導モードをオフにする（Ｓ３２０，Ｓ３
６０）。すなわち、指令値関連情報は、指令値に基づくオーディオシステム５２のスピーカ５５Ｌ，５５Ｒに対する出力信号であり、判定手段３０ａは、出力信号の音圧レベルの変化に基づき、異常であるか否かを判定する。これにより、注視点に関する情報であるスピーカ５５Ｌ，５５Ｒへの出力信号が不適切なものとなることで発生する不具合を抑制することができる。
【００７６】
具体的には、単一スピーカへの出力信号を取得し（図４中のＳ３００）、各スピーカ５５Ｌ，５５Ｒにおける音圧レベルが不連続であるか否かを判断する（Ｓ３１０）。ここで音圧レベルが不連続である場合（Ｓ３１０：ＹＥＳ）、視線誘導モードをオフにする（Ｓ３２０）。すなわち、判定手段３０ａは、単一のスピーカ５５Ｌ，５５Ｒにおける音圧レベルの変化に基づき、異常であるか否かを判定する。これにより、注視点に関する情報である各スピーカ５５Ｌ，５５Ｒへの出力信号が不適切なものとなることで発生する不具合を抑制することができる。
【００７７】
また具体的には、複数スピーカへの出力信号を比較し（図４中のＳ３４０）、スピーカ５５Ｌ，５５Ｒにおける位相のズレが大きいか否かを判断する（Ｓ３５０）。ここで位相のズレが大きい場合（Ｓ３５０：ＹＥＳ）、視線誘導モードをオフにする（Ｓ３６０）。すなわち、判定手段３０ａは、複数のスピーカ５５Ｌ，５５Ｒにおける音圧レベルの位相のズレに基づき、異常であるか否かを判定する。これにより、注視点に関する情報であるスピーカ５５Ｌ，５５Ｒへの出力信号のバランスが不適切なものとなることで発生する不具合を抑制することができる。
【００７８】
さらにまた、本実施形態では、指令値の算出時刻を記憶し（図６中のＳ４００）、算出時刻を所定期間にわたって読み出し（Ｓ４１０）、算出タイミングが異常であるか否かを、例えば算出時刻が５Ｈｚ以上となっているか否かで判断する（Ｓ４２０）。ここで算出タイミングが異常である場合（Ｓ４２０：ＹＥＳ）、視線誘導モードをオフにする（Ｓ４３０）。すなわち、指令値関連情報は、指令値の算出タイミングであり、判定手段３０ａは、指令値の算出タイミングに基づき、異常であるか否かを判定する。これにより、注視点に関する情報である指令値の算出タイミングが不適切なものとなることで発生する不具合を抑制することができる。
【００７９】
また、本実施形態では、算出された指令値を記憶し（図７中のＳ５００）、Ｎ秒前の指令値を読み出す（Ｓ５１０）。一方、現時点での自車両の速度を取得し（Ｓ５２０）、現時点での自車両のヨーレートを算出して（Ｓ５３０）、現時点での注視点を算出する（Ｓ５４０）。そして、予測された予測注視点と現時点での注視点とのズレが大きいか否かを判断する（Ｓ５５０）。ここで注視点のズレが大きい場合（Ｓ５５０：ＹＥＳ）、視線誘導モードをオフにする（Ｓ５６０）。すなわち、指令値関連情報は、指令値そのものであり、判定手段３０ａは、指令値の示す予測注視点の算出精度に基づき、異常であるか否かを判定する。これにより、注視点に関する情報である指令値の算出精度が不適切なものとなることで発生する不具合を抑制することができる。
【００８０】
さらにまた、本実施形態では、視線誘導モードをオフにする際、外部メモリ４２に記憶されているイコライザやバランスなどのユーザ設定をオーディオシステム５２へ出力する（図３中のＳ２３０，図４中のＳ３２０，Ｓ３６０，図６中のＳ４３０，図７中のＳ５６０）。すなわち、オーディオシステム５２は、通常時において、設定されたオーディオ環境で音像を生成することが可能であり、停止手段３０ｂは、音像定位処理の実行を停止すると共に、オーディオ環境をオーディオシステムに出力する。これにより、音像定位処理の実行が停止された場合、ユーザ設定に基づくオーディオ環境で音像が生成されるため、運転者が抱く違和感を減少させることができる。
【００８１】
また、本実施形態では、視線誘導モードをオフにした後、設定の変更を通知する（図３中のＳ２４０，図４中のＳ３３０，Ｓ３７０，図６中のＳ４４０，図７中のＳ５７０）。すなわち、音像定位処理の実行の停止を運転者に報知する報知手段３０ｃを備えている。これにより、故障でなく装置が音像定位処理の実行を停止したことが分かり、運転者が抱く違和感を減少させることができる。
【００８２】
なお、本実施形態では２チャンネルの立体音響技術を用いた。これに対し、チャンネル数を増やしてオーディオシステムのスピーカを運転者の周囲に配置すれば、立体音響技術を用いなくとも音像を定位させることは出来る。ただし、車室内という限られたスペースの中では、任意の位置にスピーカを配置することは困難となる。したがって、２チャンネルの立体音響技術を用いることが、車室内では極めて有効となる。
【００８３】
以上、本発明は、上述した実施形態に何ら限定されるものではなく、その技術的範囲を逸脱しない限り、種々なる形態で実施可能である。
［補足説明］
予測注視点の算出方法は、具体的には、次のように行う。
【００８４】
まず、図９に示すように、現時点からＮ秒後における自車両１００を基準にし、自車両の走行する道路Ｒ上に、一定間隔で、区切り線Ｋを設定する。そして、この区切り線Ｋ上に複数の格子点Ｌを仮想的に設定する。ここで各格子点Ｌの位置及び距離は、ナビゲーション装置３の地図データ入力部３６を介して入力される地図データから取得する。
【００８５】
次に、Ｎ秒後における運転者の首振り角の変化率を推測する。この首振り角の変化率は、図２中のＳ１３０で取得される道路の曲率から推測可能である。ここで推測される首振り角の変化率をＡとして説明を続ける。
【００８６】
続いて、Ｎ秒後における自車両１００を基準とし、各格子点Ｌについて、網膜球面モデルに投射した場合の運動量（以下「視覚運動量」という）を算出する。図１０に示すように網膜球面モデルは、運転者の網膜を球面としてモデル化したものであり、網膜球面モデル上の物体の位置は、網膜座標系における物体に位置に対応する。
【００８７】
ここで物体の方位角をθとし仰角をφとすると、Ｎ秒後における自車両１００を基準とした任意の格子点Ｌの網膜球面モデル上での位置は（θ，φ）と記述することができる。そして、離心角ωの変化率（離心角変化率ω’）の絶対値を視覚運動量として算出する。離心角変化率ω’は、車速をＶとし、格子点Ｌまでの距離をＲとし、ヨーレートをγとすると、次の式１で表すことができる。なお、車速Ｖ及びヨーレートγは、図２中のＳ１４０にて推定されたものである。
【００８８】
【数１】
2014127931.tif 000003
【００８９】
式１を用い各格子点Ｌについて離心角変化率ω’を算出し、離心角変化率ω’の絶対値が最小となる格子点Ｌを、Ｎ秒後における予測注視点とする。
なお、離心角変化率ω’は、網膜球面モデルを用いて算出したものであることから路上の格子点Ｌの視覚運動量を示している。運転者は、運転中に視覚運動量の最小点を注視する傾向にあることが知られている。
【００９０】
［他の実施形態］
（イ）上記実施形態では、現時点からＮ秒後の自車両の位置を基準として、予測注視点に対応する指令値を算出していた（図２中のＳ１５０）。これに対し、現時点から所定距離Ｍ（例えば３０ｍ）だけ進んだ自車両の位置を基準として、予測注視点に対応する指令値を算出するようにしてもよい。この場合、図２に示した音像定位処理のＳ１３０において、自車両の現時点における位置よりも所定距離Ｍだけ進んだ位置での曲率を取得するようにすればよい。また、図７に示した予測注視点判定処理のＳ５１０において、Ｎ秒前の指令値に代え、所定距離Ｍを走行する前の指令値を読み出すようにすればよい。このようにしても、上記実施形態と同様の効果が奏される。
【００９１】
（ロ）上記実施形態では、現時点からＮ秒後の自車両の位置を基準として、予測注視点に対応する指令値を算出していた（図２中のＳ１５０）。これに対し、現時点での注視点を算出するようにしてもよい。この場合、図２に示した音像定位処理のＳ１３０において、自車両の現時点における道路の曲率を取得するようにすればよい。また、図７に示した予測注視点判定処理は、未来の注視点である予測注視点に関するものであるため、この場合は適用されない。このようにしても、上記実施形態と同様の効果が奏される。
【符号の説明】
【００９２】
１…ナビゲーションシステム、３…ナビゲーション装置、５…サブシステム、３０…制御部、３０ａ…判定手段、３０ｂ…停止手段、３０ｃ…報知手段、３１…カメラ、３２…地磁気センサ、３３…ジャイロスコープ、３４…距離センサ、３５…ＧＰＳ受信機、３６…地図データ入力部、３６ａ…ＤＶＤ−ＲＯＭ、３７…操作スイッチ群、４１…通信部、４２…外部メモリ、４３…表示部、５１…立体音響システム、５２…オーディオシステム、５３…音源、５４Ｌ…左側フィルタ、５４Ｒ…右側フィルタ、５５Ｌ…左側スピーカ、５５Ｒ…右側スピーカ、６０…ＥＣＵ群、１００…自車両
【図１】
2014127931.tif 000004
【図２】
2014127931.tif 000005
【図３】
2014127931.tif 000006
【図４】
2014127931.tif 000007
【図５】
2014127931.tif 000008
【図６】
2014127931.tif 000009
【図７】
2014127931.tif 000010
【図８】
2014127931.tif 000011
【図９】
2014127931.tif 000012
【図１０】
2014127931.tif 000013
【図１１】
2014127931.tif 000014
【図１２】
2014127931.tif 000015
【図１３】
2014127931.tif 000016